(57)【特許請求の範囲】
【請求項１】
室外ユニットおよび室内ユニットを備え、前記室外ユニットおよび前記室内ユニットが配管で接続され、前記室外ユニット、前記室内ユニットおよび前記配管内を冷媒が流れることによって調和された室内空気を、ダクトを介して送風する空気調和装置であって、
前記室外ユニットは、
前記冷媒を圧縮する圧縮機と、
室外空気と前記冷媒との間で熱交換を行う室外側熱交換器と、
前記圧縮機から吐出される冷媒の圧力である高圧圧力を検知する高圧圧力検知器と、
前記室外側熱交換器に流入または前記室外側熱交換器から流出する冷媒の温度である室外側液管温度を検知する室外側液管温度検知器と
を備え、
前記室内ユニットは、
前記冷媒を減圧する絞り装置と、
室内空気と前記冷媒との間で熱交換を行う室内側熱交換器と、
前記室内側熱交換器に前記室内空気を供給する室内側送風機と、
前記室内側送風機を制御する室内側制御装置と、
前記室内側熱交換器に吸い込まれる空気の吸込空気温度を検知する吸込空気温度検知器と、
前記室内側熱交換器から吹き出す空気の吹出空気温度を検知する吹出空気温度検知器と、
前記室内側熱交換器と前記絞り装置との間に設けられ、前記室内側熱交換器に流入または前記室内側熱交換器から流出する冷媒の温度である室内側液管温度を検知する室内側液管温度検知器と、
前記室内側熱交換器に対して前記室内側液管温度検知器とは反対側に設けられ、前記室内側熱交換器から流出または前記室内側熱交換器に流入する冷媒の温度である室内側ガス管温度を検知する室内側ガス管温度検知器と
を備え、
前記室内側制御装置は、
前記室内側液管温度と、前記室内側ガス管温度と、前記高圧圧力と、前記室外側液管温度と、前記絞り装置の開度とに基づき、前記室内側熱交換器の冷媒側能力を算出し、
前記冷媒側能力と、前記吸込空気温度および前記吹出空気温度とに基づき、前記室内側熱交換器を通過する空気の風量を算出し、
算出された前記室内側熱交換器を通過する空気の風量に基づき、前記ダクトの風量が適切であるか否かを判断し、
前記ダクトの風量が過大または過小であると判断した場合に、前記室内側送風機の出力を調整する
空気調和装置。
【請求項２】
前記冷媒側能力は、
前記室内側液管温度、前記高圧圧力、および前記絞り装置の開度に基づき算出される前記室内側熱交換器を流れる冷媒の冷媒流量と、
前記室内側液管温度、室内側ガス管温度、前記高圧圧力および前記室外側液管温度に基づき算出される前記室内側熱交換器の流出入側におけるエンタルピ差と
に基づき算出される
請求項１に記載の空気調和装置。
【請求項３】
前記室内ユニットは、
利用者の操作に応じて前記空気調和装置の動作を制御するリモートコントローラ
が接続され、
前記室内側制御装置は、
算出した前記風量に基づき前記ダクトの静圧を算出し、
算出した前記ダクトの静圧を前記リモートコントローラに表示させる
請求項１または２に記載の空気調和装置。
【請求項４】
前記室内側制御装置は、
前記室内側熱交換器を通過する空気の風量が設定風量の範囲よりも大きい場合に、前記風量が過大であると判断し、
前記室内側熱交換器を通過する空気の風量が前記設定風量の範囲よりも小さい場合に、前記風量が過小であると判断する
請求項１に記載の空気調和装置。
【請求項５】
前記室内側制御装置は、
前記室内側熱交換器を通過する空気の風量が過大または過小であると判断した場合で、前記室内側送風機の出力が最大または最小であるときに、利用者に対して異常であることを通知する
請求項１〜４のいずれか一項に記載の空気調和装置。
【発明の詳細な説明】
【技術分野】
【０００１】
本発明は、ダクトを介して空調対象空間の空気調和を行う空気調和装置に関するものである。
【背景技術】
【０００２】
従来、空調対象空間の空気調和を行う空気調和装置においては、省エネルギー性および快適性等を向上させることを目的として、風量の制御を行っている。例えば、特許文献１に記載の空気調和装置では、室内ユニットにおける熱交換器の吸込温度および吹出温度の温度差と現在の風量とに基づき、室内ユニットに設けられた送風機の風量を計算して風量を制御している。【０００３】
一方、ダクトを用いて空調対象空間の空気を吸い込む一般的なダクト式の空気調和装置の室内ユニットにおいては、現地で取り付けるダクトの形状および大きさ等によって静圧の範囲が決まっている。そのため、このようなダクト式の空気調和装置では、静圧の範囲で使用されることを想定して室内ユニットの送風機出力を設定することにより、適切な風量を確保することができるようにしている。
【先行技術文献】
【特許文献】
【０００４】
【特許文献１】特開平７−４７２４号公報
【発明の概要】
【発明が解決しようとする課題】
【０００５】
しかしながら、実際のダクトによる静圧は、ダクトの曲がり具合等の設置状態によって変化する。そのため、ダクト式の空気調和装置では、室内ユニットが想定している静圧の範囲から外れてしまい、適切な風量を確保することができない。【０００６】
例えば、静圧が想定したよりも大きい場合には、風量が過小となり、能力の低下または冷房運転時の吹き出し温度の低下等によって快適性が損なわれてしまうことがある。また、例えば、静圧が想定したよりも小さい場合には、風量が過大となり、冷房運転時に熱交換器およびドレンパンに付着する凝縮水が吹出空気とともに室内ユニットから排出されてしまうことがある。【０００７】
本発明は、上記課題に鑑みてなされたものであって、ダクトの静圧が想定する範囲から外れた場合であっても、適切なダクト風量を確保することができる空気調和装置を提供することを目的とする。
【課題を解決するための手段】
【０００８】
本発明の空気調和装置は、室外ユニットおよび室内ユニットを備え、前記室外ユニットおよび前記室内ユニットが配管で接続され、前記室外ユニット、前記室内ユニットおよび前記配管内を冷媒が流れることによって調和された室内空気を、ダクトを介して送風する空気調和装置であって、前記室外ユニットは、前記冷媒を圧縮する圧縮機と、室外空気と前記冷媒との間で熱交換を行う室外側熱交換器と、前記圧縮機から吐出される冷媒の圧力である高圧圧力を検知する高圧圧力検知器と、前記室外側熱交換器に流入または前記室外側熱交換器から流出する冷媒の温度である室外側液管温度を検知する室外側液管温度検知器とを備え、前記室内ユニットは、前記冷媒を減圧する絞り装置と、室内空気と前記冷媒との間で熱交換を行う室内側熱交換器と、前記室内側熱交換器に前記室内空気を供給する室内側送風機と、前記室内側送風機を制御する室内側制御装置と、前記室内側熱交換器に吸い込まれる空気の吸込空気温度を検知する吸込空気温度検知器と、前記室内側熱交換器から吹き出す空気の吹出空気温度を検知する吹出空気温度検知器と、前記室内側熱交換器と前記絞り装置との間に設けられ、前記室内側熱交換器に流入または前記室内側熱交換器から流出する冷媒の温度である室内側液管温度を検知する室内側液管温度検知器と、前記室内側熱交換器に対して前記室内側液管温度検知器とは反対側に設けられ、前記室内側熱交換器から流出または前記室内側熱交換器に流入する冷媒の温度である室内側ガス管温度を検知する室内側ガス管温度検知器とを備え、前記室内側制御装置は、前記室内側液管温度と、前記室内側ガス管温度と、前記高圧圧力と、前記室外側液管温度と、前記絞り装置の開度とに基づき、前記室内側熱交換器の冷媒側能力を算出し、前記冷媒側能力と、前記吸込空気温度および前記吹出空気温度とに基づき、前記室内側熱交換器を通過する空気の風量を算出し、算出された前記室内側熱交換器を通過する空気の風量に基づき、前記ダクトの風量が適切であるか否かを判断し、前記ダクトの風量が過大または過小であると判断した場合に、前記室内側送風機の出力を調整するものである。
【発明の効果】
【０００９】
以上のように、本発明の空気調和装置によれば、室内側熱交換器を通過する空気の風量または室内側熱交換器の温度効率を算出することにより、ダクトの静圧が想定する範囲から外れた場合であっても、適切なダクト風量を確保することができる。
【図面の簡単な説明】
【００１０】
【図１】本実施の形態１に係る空気調和装置の回路構成の一例を示すブロック図である。
【図２】図１の室内側制御装置の機能について説明するための機能ブロック図である。
【図３】図１の室内ユニットの設置例を示す概略図である。
【図４】図１の空気調和装置における冷房運転モードおよび暖房運転モードでの冷媒の流れについて説明するための概略図である。
【図５】図４の室内ユニットによる冷房運転時の風量チェック処理の流れの一例を示すフローチャートである。
【図６】図４の室内ユニットによる暖房運転時の風量チェック処理の流れの一例を示すフローチャートである。
【図７】図１の室内側送風機を通過する空気の風量と、機外静圧との関係について説明するための概略図である。
【図８】実施の形態２に係る室内側制御装置の機能について説明するための機能ブロック図である。
【図９】実施の形態２に係る室内ユニットによる冷房運転時の風量チェック処理の流れの一例を示すフローチャートである。
【図１０】実施の形態２に係る室内ユニットによる暖房運転時の風量チェック処理の流れの一例を示すフローチャートである。
【発明を実施するための形態】
【００１１】
実施の形態１．
以下、本発明の実施の形態１に係る空気調和装置について説明する。
【００１２】
［空気調和装置の回路構成］
図１は、本実施の形態１に係る空気調和装置１００の回路構成の一例を示すブロック図である。図１に示すように、空気調和装置１００は、室外ユニット１および室内ユニット２で構成されている。
【００１３】
室外ユニット１は、圧縮機１１、冷媒流路切替装置１２、室外側熱交換器１３、室外側送風機１４、室外側制御装置１５、高圧圧力検知器３１、および室外側液管温度検知器３２を備えている。室内ユニット２は、絞り装置２１、室内側熱交換器２２、室内側送風機２３、室内側制御装置２４、吸込空気温度検知器３３、吹出空気温度検知器３４、室内側液管温度検知器３５、および室内側ガス管温度検知器３６を備えている。そして、圧縮機１１、冷媒流路切替装置１２、室外側熱交換器１３、絞り装置２１および室内側熱交換器２２が配管によって接続されることにより、冷媒が流れる冷媒回路が形成されている。
【００１４】
なお、図１の例では、１台の室外ユニット１と１台の室内ユニット２とが接続される場合を示すが、室外ユニット１および室内ユニット２の台数は、それぞれ２台以上でもよい。例えば、１台の室外ユニット１に対して複数台の室内ユニット２が接続されてもよい。また、例えば、複数の室外ユニット１に対して１または複数の室内ユニット２が接続されてもよい。
【００１５】
（室外ユニット）
圧縮機１１は、低温低圧の冷媒を吸入し、吸入した冷媒を圧縮して高温高圧の状態にして吐出する。圧縮機１１は、例えば、駆動周波数を任意に変化させることにより、時間あたりの冷媒送出量である容量を制御するインバータ圧縮機等からなる。
【００１６】
冷媒流路切替装置１２は、例えば四方弁であり、冷媒の流れる方向を切り替えることにより、冷房運転および暖房運転の切り替えを行う。冷媒流路切替装置１２としては、上述した四方弁に限らず、例えば他の弁を組み合わせて使用してもよい。
【００１７】
室外側熱交換器１３は、ファン等の室外側送風機１４によって供給される室外空気と冷媒との間で熱交換を行う。具体的には、室外側熱交換器１３は、冷房運転の際に、冷媒を蒸発させ、その際の気化熱により空調対象空間内の室内空気を冷却する凝縮器として機能する。また、室外側熱交換器１３は、暖房運転の際に、冷媒の熱を室内空気に放熱して冷媒を凝縮させる蒸発器として機能する。
【００１８】
室外側制御装置１５は、室外ユニット１の各部から受け取る各種情報などに基づき、室外ユニット１全体の動作を制御する。具体的には、室外側制御装置１５は、例えば冷媒回路中に設けられた各種センサからの情報に基づき、圧縮機１１の圧縮機周波数、冷媒流路切替装置１２の流路の切替、室外側送風機１４の回転数などを制御する。
【００１９】
また、室外側制御装置１５は、室内ユニット２の室内側制御装置２４と伝送線によって接続され、互いに制御情報などのデータのやりとりを行うことができる。このような室外側制御装置１５は、例えばマイクロコンピュータ、ＣＰＵ（Ｃｅｎｔｒａｌ  Ｐｒｏｃｅｓｓｉｎｇ  Ｕｎｉｔ）などの演算装置上で実行されるソフトウェア、または各種機能を実現する回路デバイスなどのハードウェア等で構成されている。
【００２０】
高圧圧力検知器３１は、圧縮機１１の吐出側の配管に設けられ、圧縮機１１から吐出された高圧の冷媒の圧力を検知する。室外側液管温度検知器３２は、冷房運転時における室外側熱交換器１３の下流側の液配管１６に設けられ、液配管１６を流れる冷媒の温度を検知する。
【００２１】
（室内ユニット）
絞り装置２１は、冷媒を圧して膨張させる。絞り装置２１は、例えば、電子式膨張弁などの開度の制御を行うことができる弁で構成されている。
【００２２】
室内側熱交換器２２は、ファン等の室内側送風機２３によって供給される室内空気と冷媒との間で熱交換を行う。これにより、室内空間に供給される調和空気である暖房用空気または冷房用空気が生成される。室内側熱交換器２２は、冷房運転の際に蒸発器として機能する。また、室内側熱交換器２２は、暖房運転の際に凝縮器として機能する。
【００２３】
室内側送風機２３は、室内側制御装置２４によって風速が制御され、室内側熱交換器２２に対して室内空気を供給する。室内側送風機２３には、複数段階のノッチが設定されている。室内側送風機２３は、室内側制御装置２４の制御に基づき設定されたノッチ毎に、室内側熱交換器２２に対して供給する室内空気の風速を異ならせることができる。
【００２４】
室内側制御装置２４は、室内ユニット２の各部から受け取る各種情報、およびリモートコントローラ３に対する利用者の操作による設定などに基づき、室内ユニット２全体の動作を制御する。具体的には、室内側制御装置２４は、例えば室外側制御装置１５からの制御情報、または冷媒回路中に設けられた各種センサからの情報に基づき、室内側送風機２３の回転数などを制御する。
【００２５】
また、室内側制御装置２４は、室外ユニット１の室外側制御装置１５と伝送線によって接続され、互いに制御情報などのデータの送受信を行うことができる。さらに、室内側制御装置２４は、伝送線によってリモートコントローラ３が接続され、互いにデータの送受信を行うことができる。
【００２６】
このような室内側制御装置２４は、例えばマイクロコンピュータ、ＣＰＵなどの演算装置上で実行されるソフトウェア、各種機能を実現する回路デバイスなどのハードウェア等で構成されている。
【００２７】
吸込空気温度検知器３３は、空気の上流側、すなわち吸込側に設けられている。吸込空気温度検知器３３は、室内側送風機２３によって吸い込まれた室内空気の温度を検知する。吹出空気温度検知器３４は、空気の下流側、すなわち吹出側に設けられている。吹出空気温度検知器３４は、室内側熱交換器２２によって調和されて吹き出す調和空気の温度を検知する。
【００２８】
室内側液管温度検知器３５は、絞り装置２１と室内側熱交換器２２との間の液配管２５に設けられ、液配管２５を流れる冷媒の温度を検知する。室内側ガス管温度検知器３６は、冷房運転時における室内側熱交換器２２の下流側のガス配管２６に設けられ、ガス配管２６を流れる冷媒の温度を検知する。
【００２９】
また、室内側制御装置２４には、リモートコントローラ３が接続されている。リモートコントローラ３は、利用者が操作することにより、例えば、空気調和装置１００における運転モード設定、温度設定、風量設定等の各種設定を行い、空気調和装置１００の動作を制御するためのものである。リモートコントローラ３は、利用者の操作に応じた操作信号を室内側制御装置２４に送信する。
【００３０】
（室内側制御装置の構成）
図２は、図１の室内側制御装置２４の機能について説明するための機能ブロック図である。図２に示すように、室内側制御装置２４は、冷媒流量算出部４１、エンタルピ算出部４２、冷媒側能力算出部４３、風量算出部４４、比較処理部４５、駆動制御部４６、通知処理部４７および記憶部４８で構成されている。
【００３１】
冷媒流量算出部４１は、高圧圧力検知器３１によって検知された室外側高圧圧力と、室内側液管温度検知器３５によって検知された室内側液管温度と、絞り装置２１の開度とが入力される。冷媒流量算出部４１は、入力された室外側高圧圧力および室内側液管温度に基づき、記憶部４８に記憶された、絞り装置２１の開度と、開度に関連する係数である流量係数Ｃｖとの関係を示すテーブルを参照して、室内側熱交換器２２を流れる冷媒の冷媒流量を算出する。冷媒流量算出部４１は、算出した冷媒流量を冷媒側能力算出部４３に対して出力する。
【００３２】
エンタルピ算出部４２は、高圧圧力検知器３１によって検知された室外側高圧圧力と、室外側液管温度検知器３２によって検知された室外側液管温度と、室内側液管温度検知器３５によって検知された室内側液管温度と、室内側ガス管温度検知器３６によって検知された室内側ガス管温度とが入力される。エンタルピ算出部４２は、入力された室外側高圧圧力と、室外側液管温度と、室内側液管温度と、室内側ガス管温度とに基づき、室内側熱交換器２２における流出入側の冷媒側エンタルピ差である出入口エンタルピ差を算出する。エンタルピ算出部４２は、算出した出入口エンタルピ差を冷媒側能力算出部４３に対して出力する。
【００３３】
冷媒側能力算出部４３は、冷媒流量算出部４１から入力された室内側熱交換器２２の冷媒流量と、エンタルピ算出部４２から入力された室内側熱交換器２２の出入口エンタルピ差とに基づき、室内側熱交換器２２の冷媒側能力を算出する。冷媒側能力算出部４３は、算出した冷媒側能力を風量算出部４４に対して出力する。
【００３４】
風量算出部４４は、冷媒側能力算出部４３で算出された室内側熱交換器２２の冷媒側能力と、吸込空気温度検知器３３によって検知された吸込空気温度と、吹出空気温度検知器３４によって検知された吹出空気温度とが入力される。風量算出部４４は、入力された室内側熱交換器２２の冷媒側能力と、吸込空気温度と、吹出空気温度とに基づき、室内側熱交換器２２を通過する空気の風量を算出する。風量算出部４４は、算出した風量を比較処理部４５に対して出力する。
【００３５】
比較処理部４５は、記憶部４８に予め記憶された定格風量の範囲を読み出し、入力された室内側熱交換器２２を通過する空気の風量と、記憶部４８から読み出した定格風量の範囲とに基づき、ダクト風量が適切な風量であるか否かを判断する処理を行う。定格風量の範囲は、適切なダクト風量を得るための、室内側熱交換器２２を通過する空気の風量の範囲である。定格風量の範囲は、例えば、吹出空気の冷風感、凝縮水の室内ユニット２からの排出等を考慮して予め設定される。
【００３６】
比較処理部４５は、判断処理の結果、ダクト風量が適切な風量でないと判断した場合に、室内側送風機２３の出力を調整するための制御情報を生成し、駆動制御部４６に対して出力する。また、比較処理部４５は、ダクト風量が適切な風量でないと判断した場合で、室内側送風機２３の出力調整ができないと判断したときに、異常を示す情報を生成し、通知処理部４７に対して出力する。
【００３７】
駆動制御部４６は、比較処理部４５から制御情報を受信する。駆動制御部４６は、受信した制御情報に基づき、室内側送風機２３を駆動するための駆動信号を生成し、室内側送風機２３に対して出力する。
【００３８】
通知処理部４７は、比較処理部４５から異常を示す情報を受信する。通知処理部４７は、受信した情報に基づき、例えばリモートコントローラ３に異常を示す通知を表示させるための制御信号を生成し、リモートコントローラ３に対して出力する。なお、このような通知は、リモートコントローラ３に表示させることに限られない。例えば、室外ユニット１または室内ユニット２に各種情報を表示するための表示部等が設けられている場合には、制御信号を室外ユニット１または室内ユニット２に対して送信し、室外ユニット１または室内ユニット２に表示させてもよい。
【００３９】
記憶部４８は、室内側制御装置２４で行われる各種処理に必要なプログラムおよびデータ等の各種情報を記憶する。例えば、記憶部４８は、冷媒流量算出部４１において使用するテーブル、および比較処理部４５において使用する設定風量の範囲を示す情報を予め記憶している。記憶部４８は、冷媒流量算出部４１からの要求に基づき、記憶されたテーブルを冷媒流量算出部４１に供給する。また、記憶部４８は、比較処理部４５からの要求に基づき、記憶された設定風量の範囲を示す情報を比較処理部４５に供給する。さらに、記憶部４８は、比較処理部４５から、判断処理の結果に応じた室内側送風機２３に対する設定情報等を受け取り、記憶することもできる。
【００４０】
［室内ユニットの設置例］
次に、本実施の形態１に係る空気調和装置１００における室内ユニット２の設置例について説明する。図３は、図１の室内ユニット２の設置例を示す概略図である。
【００４１】
室内ユニット２は、例えば、居室やサーバルーム等の空調対象空間である室内空間４とは異なる天井裏等の空間５に設置されている。リモートコントローラ３は、室内空間４に設置されている。
【００４２】
室内ユニット２には、室内空気を吸い込むための吸込口２ａと、室内側熱交換器２２によって熱交換された調和空気を吹き出すための吹出口２ｂとが形成されている。吸込口２ａには、ダクト６ａの一端が接続されている。ダクト６ａの他端は、室内空間４と空間５とを仕切る天井７の吸込口７ａに接続されている。また、吹出口２ｂには、ダクト６ｂの一端が接続されている。ダクト６ｂの他端は、天井７の吹出口７ｂに接続されている。
【００４３】
これにより、室内ユニット２は、室内側送風機２３を用いて室内空間４の空気を、吸込口７ａおよびダクト６ａを介して吸い込み、室内側熱交換器２２によって調和された空気を、吹出口７ｂおよびダクト６ｂを介して室内空間４に吹き出すことができる。
【００４４】
［空気調和装置の動作］
次に、上記構成を有する空気調和装置１００における冷房運転モードおよび暖房運転モードでの冷媒の動作について説明する。
【００４５】
図４は、図１の空気調和装置１００における冷房運転モードおよび暖房運転モードでの冷媒の流れについて説明するための概略図である。図４において、冷媒流路切替装置１２の実線で示す状態が冷房運転モードでの状態であり、冷媒の流れ方向を実線で示す。また、冷媒流路切替装置１２の点線で示す状態が暖房運転モードでの状態であり、冷媒の流れ方向を点線で示す。
【００４６】
（冷房運転モード）
まず、冷房運転モードでの冷媒の動作について説明する。冷房運転モードでは、冷媒流路切替装置１２が図４の実線で示す状態に切り替えられる。そして、低温低圧の冷媒が圧縮機１１によって圧縮され、高温高圧のガス冷媒となって吐出される。
【００４７】
圧縮機１１から吐出された高温高圧のガス冷媒は、冷媒流路切替装置１２を介して室外側熱交換器１３に流入する。室外側熱交換器１３に流入した高温高圧のガス冷媒は、室外空気と熱交換して放熱しながら凝縮し、過冷却状態の高圧の液冷媒となって室外側熱交換器１３から流出する。室外側熱交換器１３から流出した高圧の液冷媒は、室外ユニット１から流出し、液側配管を介して室内ユニット２に流入する。
【００４８】
室内ユニット２に流入した高圧の液冷媒は、絞り装置２１によって減圧されて低温低圧の気液二相冷媒となり、室内側熱交換器２２に流入する。室内側熱交換器２２に流入した低温低圧の気液二相冷媒は、室内空気と熱交換して吸熱および蒸発することにより室内空気を冷却し、低温低圧のガス冷媒となって室内側熱交換器２２から流出する。
【００４９】
室内側熱交換器２２から流出した低温低圧のガス冷媒は、室内ユニット２から流出し、ガス側配管を介して室外ユニット１に流入する。室外ユニット１に流入した低温低圧のガス冷媒は、冷媒流路切替装置１２を通過して、圧縮機１１へ吸入される。
【００５０】
（暖房運転モード）
次に、暖房運転モードでの冷媒の動作について説明する。暖房運転モードでは、冷媒流路切替装置１２が図４の点線で示す状態に切り替えられる。そして、低温低圧の冷媒が圧縮機１１によって圧縮され、高温高圧のガス冷媒となって吐出される。
【００５１】
圧縮機１１から吐出された高温高圧のガス冷媒は、冷媒流路切替装置１２を介して室外ユニット１から流出する。室外ユニット１から流出した高温高圧のガス冷媒は、ガス側配管を介して室内ユニット２に流入する。
【００５２】
室内ユニット２に流入した高温高圧のガス冷媒は、室内側熱交換器２２に流入する。室内側熱交換器２２に流入した高温高圧のガス冷媒は、室内空気と熱交換して放熱しながら凝縮し、過冷却状態の高圧の液冷媒となって室内側熱交換器２２から流出する。
【００５３】
室内側熱交換器２２から流出した高圧の液冷媒は、絞り装置２１によって減圧されて低温低圧の気液二相冷媒となり、室内ユニット２から流出する。室内ユニット２から流出した低温低圧の気液二相冷媒は、液側配管を介して室外ユニット１に流入する。
【００５４】
室外ユニット１に流入した低温低圧の気液二相冷媒は、室外側熱交換器１３に流入する。室外側熱交換器１３に流入した低温低圧の気液二相冷媒は、室外空気と熱交換して吸熱および蒸発し、低温低圧のガス冷媒となって室外側熱交換器１３から流出する。
【００５５】
室外側熱交換器１３から流出した低温低圧のガス冷媒は、冷媒流路切替装置１２を通過して、圧縮機１１へ吸入される。
【００５６】
［風量チェック処理］
本実施の形態１に係る空気調和装置１００では、運転モードとして、上述した冷房運転モードおよび暖房運転モードに加えて、風量チェック運転モードを有している。風量チェック運転モードによる風量チェック処理は、冷房運転時または暖房運転時に、例えば、リモートコントローラ３または室内ユニット２に設けられたスイッチ等の図示しない操作部が操作され、風量チェック運転モードが選択された場合に行われる。
【００５７】
（冷房運転時）
以下、冷房運転時の風量チェック運転モードによる処理について説明する。図５は、図４の室内ユニット２による冷房運転時の風量チェック処理の流れの一例を示すフローチャートである。
【００５８】
まず、リモートコントローラ３等が操作され、風量チェック運転モードが選択されると、風量チェック運転が開始される（ステップＳ１）。次に、室内側制御装置２４は、室内側送風機２３を最大風速で運転するように制御する（ステップＳ２）。具体的には、室内側制御装置２４は、室内側送風機２３の風速ノッチを風速が最大となる段階に設定するための制御情報を生成し、室内側制御装置２４の駆動制御部４６を介して室内側送風機２３に対して送信する。
【００５９】
次に、室内側制御装置２４は、予め設定された時間が経過したか否かを判断する（ステップＳ３）。ここで、室内側送風機２３を最大風速で運転させてから設定時間だけ経過するのを待つのは、空気調和装置１００の運転を安定させるためである。設定時間が経過したと判断した場合（ステップＳ３；Ｙｅｓ）には、処理がステップＳ４に移行する。一方、設定時間が経過していないと判断した場合（ステップＳ３；Ｎｏ）には、処理がステップＳ３に戻り、設定時間が経過するまで、ステップＳ３の処理を繰り返す。
【００６０】
設定時間が経過したとき、室内側制御装置２４の風量算出部４４は、室内側熱交換器２２を通過する空気の風量を算出する。室内側熱交換器２２を通過する空気の風量は、室内側熱交換器２２の空気側能力と、吸込空気温度および吹出空気温度とに基づいて算出することができる。また、室内側熱交換器２２の空気側能力は、室内側熱交換器２２の冷媒側能力と同等であるものと考えることができる。そこで、本実施の形態１では、室内側熱交換器２２の冷媒側能力を算出し、算出した冷媒側能力と、室内側熱交換器２２における吸込空気温度および吹出空気温度とに基づき、室内側送風機２３の風量を算出する。
【００６１】
まず、ステップＳ４において、室内側制御装置２４の冷媒側能力算出部４３は、室内側熱交換器２２の冷媒側能力を算出する。具体的には、冷媒側能力算出部４３は、室内側熱交換器２２を流れる冷媒の流量である冷媒流量と、室内側熱交換器２２における流出入側の冷媒側エンタルピ差とに基づき、室内側熱交換器２２の冷媒側能力を算出する。
【００６２】
ここで、室内側熱交換器２２の冷媒流量を算出する方法について説明する。室内側制御装置２４の冷媒流量算出部４１は、室内側熱交換器２２における冷媒流量を、室内ユニット２の絞り装置２１の前後の差圧と、絞り装置２１の開度とに基づいて算出する。
【００６３】
絞り装置２１の前後差圧の算出方法について説明する。絞り装置２１における冷媒の上流側の圧力である一次側圧力は、室外ユニット１における圧縮機１１の吐出側に設けられた高圧圧力検知器３１の値を用いることができる。また、絞り装置２１における冷媒の下流側の圧力である二次側圧力は、絞り装置２１と室内側熱交換器２２との間に設けられた室内側液管温度検知器３５の値を用いて取得することができる。これは、絞り装置２１の二次側では、冷媒が気液二相状態となっており、二次側の圧力をその点の冷媒温度の飽和圧力として算出することができるからである。
【００６４】
なお、絞り装置２１の一次側圧力は、室外ユニット１における圧縮機１１から室内ユニット２における絞り装置２１の間であれば、いずれの位置に設置してもよい。すなわち、高圧圧力検知器３１は、例えば室外ユニット１に限らず、室内ユニット２に設けてもよい。
【００６５】
また、絞り装置２１は、開度が大きくなるにしたがって有効流路面積が増大する。そのため、絞り装置２１の開度に関する流量係数Ｃｖの値が増大する。そこで、本実施の形態１では、例えば、絞り装置２１の開度と流量係数Ｃｖとの関係を示すテーブルを、室内側制御装置２４の記憶部４８に予め記憶しておく。なお、流量係数Ｃｖを取得する方法としては、この例に限られず、例えば、絞り装置２１の開度に基づいて流量係数Ｃｖを算出するための演算式等を記憶部４８に予め記憶しておいてもよい。
【００６６】
そして、冷媒流量算出部４１は、室内側熱交換器２２の冷媒流量を、上述したようにして算出した絞り装置２１の前後差圧と開度に応じた流量係数Ｃｖとに基づき、室内側熱交換器２２の冷媒流量を算出する。
【００６７】
また、室内側制御装置２４のエンタルピ算出部４２は、室内側熱交換器２２における流出入側の冷媒側エンタルピ差である出入口エンタルピ差を、室内側熱交換器２２における流出入側の温度および圧力に基づいて算出する。
【００６８】
室内側熱交換器２２における出入口エンタルピ差の算出方法について説明する。冷媒のエンタルピは、一般に、温度および圧力に基づいて算出することができる。したがって、室内側熱交換器２２における冷媒流入側のエンタルピは、室内ユニット２の入り口の入口エンタルピから算出する。これは、室内ユニット２の流入側における冷媒が過冷却領域にあり、絞り装置２１等による圧力の変化に対するエンタルピの変化が無視できる程度であるからである。そのため、入口エンタルピは、その温度の飽和点のエンタルピとして算出する。
【００６９】
また、室内側熱交換器２２における冷媒流出側のエンタルピは、室内ユニット２の出口の出口エンタルピから算出する。このとき、出口エンタルピは、圧力を室内側液管温度検知器３５によって得られる液配管温度の飽和圧力とし、温度を室内側ガス管温度検知器３６によって得られるガス配管温度として、これらの圧力および温度を用いて算出する。
【００７０】
エンタルピ算出部４２は、このようにして算出した入口エンタルピおよび出口エンタルピの差分により、室内側熱交換器２２における流出入側の冷媒側エンタルピ差を算出する。そして、冷媒側能力算出部４３は、算出した冷媒流量に冷媒側エンタルピ差を乗算することにより、冷媒側能力を算出する。
【００７１】
次に、ステップＳ５において、風量算出部４４は、室内側熱交換器２２を通過する空気の風量を算出する。具体的には、風量算出部４４は、ステップＳ４で算出した冷媒側能力と、室内側熱交換器２２の吸込空気温度および吹出空気温度とに基づき、室内側熱交換器２２の空気側能力を算出する。空気側能力は、例えば、吸込空気温度と吹出空気温度との差に、室内側熱交換器２２を通過する空気の風量を乗算することによって算出することができる。
【００７２】
ここで、上述したように、室内側熱交換器２２の空気側能力は、ステップＳ４で算出した冷媒側能力と同等であるものと考えることができる。したがって、風量算出部４４は、ステップＳ４で算出した冷媒側能力に基づき、空気側能力の値が算出した冷媒側能力の値となるように、室内側熱交換器２２を通過する空気の風量を算出する。
【００７３】
次に、室内側制御装置２４の比較処理部４５は、ステップＳ５で算出した風量と、記憶部４８に記憶された定格風量の範囲とを比較することにより、ダクト風量が過大であるか否かを判断する（ステップＳ６）。算出した風量が定格風量の範囲内である場合（ステップＳ６；Ｎｏ）には、ダクト風量が過大ではないと判断し、処理がステップＳ７に移行する。
【００７４】
次に、比較処理部４５は、ステップＳ５で算出した風量と、定格風量の範囲とを比較することにより、ダクト風量が過小であるか否かを判断する（ステップＳ７）。算出した風量が定格風量の範囲内である場合（ステップＳ７；Ｎｏ）には、ダクト風量が適切であると判断し、処理がステップＳ８に移行する。そして、室内側制御装置２４は、風量チェック運転を停止し（ステップＳ８）、一連の処理が終了する。
【００７５】
一方、ステップＳ６において、算出した風量が定格風量の範囲よりも大きい場合（ステップＳ６；Ｙｅｓ）には、ダクト風量が過大であると判断し、処理がステップＳ９に移行する。比較処理部４５は、風速を下げることができるか否かを判断する（ステップＳ９）。
【００７６】
風速を下げることができると判断した場合（ステップＳ９；Ｙｅｓ）には、処理がステップＳ１０に移行する。比較処理部４５は、室内側送風機２３の風速ノッチを１段階下げるように、室内側制御装置２４の駆動制御部４６を介して室内側送風機２３を制御し、送風機出力を調整する（ステップＳ１０）。そして、処理がステップＳ３に戻る。一方、室内側送風機２３の風速ノッチが最小段階にあり、風速を下げることができないと判断した場合（ステップＳ９；Ｎｏ）には、処理がステップＳ１３に移行する。
【００７７】
また、ステップＳ７において、算出した風量が定格風量の範囲よりも小さい場合（ステップＳ７；Ｙｅｓ）には、ダクト風量が過小であると判断し、処理がステップＳ１１に移行する。比較処理部４５は、風速を上げることができるか否かを判断する（ステップＳ１１）。
【００７８】
風速を上げることができると判断した場合（ステップＳ１１；Ｙｅｓ）には、処理がステップＳ１２に移行する。比較処理部４５は、室内側送風機２３の風速ノッチを１段階上げるように、駆動制御部４６を介して室内側送風機２３を制御し、送風機出力を調整する（ステップＳ１２）。そして、処理がステップＳ３に戻る。一方、室内側送風機２３の風速ノッチが最大段階にあり、風速を上げることができないと判断した場合（ステップＳ１１；Ｎｏ）には、処理がステップＳ１３に移行する。
【００７９】
ステップＳ１３において、室内側制御装置２４の比較処理部４５は、通知処理部４７を介して、例えばリモートコントローラ３に対して異常を示す情報を送信する。リモートコントローラ３は、室内側制御装置２４から受信した情報に基づき、ダクト６ａおよび６ｂの静圧が室内ユニット２による設定範囲外であることを表示し、利用者または施工者に対して通知する。そして、一連の処理が終了する。
【００８０】
（暖房運転時）
次に、暖房運転時の風量チェック運転モードによる処理について説明する。図６は、図４の室内ユニット２による暖房運転時の風量チェック処理の流れの一例を示すフローチャートである。
【００８１】
まず、リモートコントローラ３等が操作され、風量チェック運転モードが選択されると、風量チェック運転が開始される（ステップＳ２１）。次に、室内側制御装置２４は、室内側送風機２３を最大風速で運転するように制御する（ステップＳ２２）。
【００８２】
次に、室内側制御装置２４は、予め設定された時間が経過したか否かを判断する（ステップＳ２３）。設定時間が経過したと判断した場合（ステップＳ２３；Ｙｅｓ）には、処理がステップＳ２４に移行する。一方、設定時間が経過していないと判断した場合（ステップＳ２３；Ｎｏ）には、処理がステップＳ２３に戻り、設定時間が経過するまで、ステップＳ２３の処理を繰り返す。
【００８３】
設定時間が経過したとき、冷媒側能力算出部４３は、室内側熱交換器２２の冷媒側能力を算出する（ステップＳ２４）。具体的には、冷媒側能力算出部４３は、室内側熱交換器２２の冷媒流量と、室内側熱交換器２２における流出入側の冷媒側エンタルピ差とに基づき、冷媒側能力を算出する。
【００８４】
室内側熱交換器２２の冷媒流量は、冷房運転時と同様に、冷媒流量算出部４１で算出される。また、室内側熱交換器２２における流出入側の冷媒側エンタルピ差は、室内側熱交換器２２における入口エンタルピおよび出口エンタルピの差により、エンタルピ算出部４２で算出される。
【００８５】
入口エンタルピは、高圧圧力検知器３１によって得られる室外側高圧圧力と、室内側ガス管温度検知器３６によって得られるガス配管温度とに基づき算出することができる。出口エンタルピは、室内側液管温度検知器３５によって得られる液配管温度の飽和点のエンタルピとして算出することができる。そして、冷媒側能力算出部４３は、算出した冷媒流量に冷媒側エンタルピ差を乗算することにより、冷媒側能力を算出する。
【００８６】
次に、風量算出部４４は、室内側熱交換器２２を通過する空気の風量を算出する（ステップＳ２５）。具体的には、風量算出部４４は、ステップＳ２４で算出した冷媒側能力と、室内側熱交換器２２の吸込空気温度および吹出空気温度とに基づき、室内側熱交換器２２の空気側能力を算出する。そして、風量算出部４４は、ステップＳ２４で算出した冷媒側能力に基づき、空気側能力の値が冷媒側能力の値となるように、室内ユニット２の風量を算出する。
【００８７】
次に、比較処理部４５は、冷房運転時と同様に、ステップＳ２５で算出した風量と、定格風量の範囲とを比較することにより、ダクト風量が過大であるか否かを判断する（ステップＳ２６）。算出した風量が定格風量の範囲内である場合（ステップＳ２６；Ｎｏ）には、風量が過大ではないと判断し、処理がステップＳ２７に移行する。
【００８８】
比較処理部４５は、ステップＳ２５で算出した風量と、定格風量の範囲とを比較することにより、ダクト風量が過小であるか否かを判断する（ステップＳ２７）。算出した風量が定格風量の範囲内である場合（ステップＳ２７；Ｎｏ）には、ダクト風量が適切であると判断し、処理がステップＳ２８に移行する。そして、室内側制御装置２４は、風量チェック運転を停止し（ステップＳ２８）、一連の処理が終了する。
【００８９】
一方、ステップＳ２６において、算出した風量が定格風量の範囲よりも大きい場合（ステップＳ２６；Ｙｅｓ）には、ダクト風量が過大であると判断し、処理がステップＳ２９に移行する。比較処理部４５は、風速を下げることができるか否かを判断する（ステップＳ２９）。
【００９０】
風速を下げることができると判断した場合（ステップＳ２９；Ｙｅｓ）には、処理がステップＳ３０に移行する。比較処理部４５は、室内側送風機２３の風速ノッチを１段階下げるように、駆動制御部４６を介して室内側送風機２３を制御し、送風機出力を調整する（ステップＳ３０）。そして、処理がステップＳ２３に戻る。一方、室内側送風機２３の風速ノッチが最小段階にあり、風速を下げることができないと判断した場合（ステップＳ２９；Ｎｏ）には、処理がステップＳ３３に移行する。
【００９１】
また、ステップＳ２７において、算出した風量が定格風量の範囲よりも小さい場合（ステップＳ２７；Ｙｅｓ）には、ダクト風量が過小であると判断し、処理がステップＳ３１に移行する。室内側制御装置２４は、風速を上げることができるか否かを判断する（ステップＳ３１）。
【００９２】
風速を上げることができると判断した場合（ステップＳ３１；Ｙｅｓ）には、処理がステップＳ３２に移行する。比較処理部４５は、室内側送風機２３の風速ノッチを１段階上げるように、駆動制御部４６を介して室内側送風機２３を制御し、送風機出力を調整する（ステップＳ３２）。そして、処理がステップＳ２３に戻る。一方、室内側送風機２３の風速ノッチが最大段階にあり、風速を上げることができないと判断した場合（ステップＳ３１；Ｎｏ）には、処理がステップＳ３３に移行する。
【００９３】
ステップＳ３３において、比較処理部４５は、通知処理部４７を介して、例えばリモートコントローラ３に対して、異常を示す情報を送信する。そして、一連の処理が終了する。
【００９４】
なお、このような風量チェック処理を行う風量チェック運転は、室内ユニット２を設置して試運転等を行う場合に実施すると好ましい。また、室内ユニット２の設置後、例えばダクトの長さ、吹出口の数等を変更した場合にも、風量チェック運転を行うことにより、室内ユニット２外の機外静圧が変化した場合でも、適切にダクト風量を確保することができる。
【００９５】
図７は、図１の室内側送風機２３を通過する空気の風量と、機外静圧との関係について説明するための概略図である。図７において、実線ａは、室内側送風機２３が予め設定された一定の出力で運転している場合の特性を示す。また、実線Ａならびに点線ＢおよびＣは、ダクト形状が同一である場合で室内側送風機２３の出力を変化させた場合の負荷曲線を示す。
【００９６】
実線ａと負荷曲線Ａとの交点ｘを基準点とすると、室内側送風機２３を通過する空気の定格風量は「Ｖ１」であり、定格機外静圧は「Ｐ１」である。一方、ダクトの抵抗によって決定される機外静圧が基準よりも大きい場合、運転ポイントが基準点ｘよりも左側に移動し、例えば実線ａと負荷曲線Ｂとの交点ｚの位置となる。このときの室内側送風機２３を通過する空気の風量は「Ｖ３」となり、定格風量Ｖ１よりも小さくなる。また、機外静圧が基準よりも小さい場合、運転ポイントが基準点ｘよりも右側に移動し、例えば実線ａと負荷曲線Ｃとの交点ｙの位置となる。このときの室内側送風機２３を通過する空気の風量は「Ｖ２」となり、定格風量Ｖ１よりも大きくなる。
【００９７】
このような特性から、室内側送風機２３を通過する空気の風量がわかれば、機外静圧を検出することができる。そこで、実際の静圧と、基準となる室内ユニット２の設定静圧とに差が生じている場合には、例えばリモートコントローラ３等に表示させることで、ダクトの調整を容易に行うことができる。
【００９８】
以上のように、本実施の形態１に係る空気調和装置１００は、室内側熱交換器２２を通過する空気の風量を算出することにより、ダクトの静圧が想定する範囲から外れた場合であっても、ダクトの静圧が検出され、適切なダクト風量を確保することができる。
【００９９】
また、本実施の形態１では、算出した室内側熱交換器２２を通過する空気の風量に基づいてダクトの静圧を算出し、算出したダクトの静圧をリモートコントローラ３等に表示させるため、ダクトの調整を容易に行うことができる。さらに、本実施の形態１では、算出した室内側熱交換器２２を通過する空気の風量に基づき、ダクト風量が過大または過小であると判断された場合に、室内側送風機２３の出力を調整するため、適切なダクト風量を確保することができる。さらにまた、室内側送風機２３の出力を調整できない場合には、利用者に対して異常が通知されるため、異常発生時に迅速な対応を行うことができる。
【０１００】
実施の形態２．
次に、本発明の実施の形態２に係る空気調和装置について説明する。本実施の形態２は、風量をより簡易的に算出する点で、上述した実施の形態１と相違する。なお、以下の説明において、上述した実施の形態１と共通する部分については、同一の符号を付し、説明を省略する。
【０１０１】
本実施の形態２における空気調和装置１００は、実施の形態１と同様に、図１および図２の構成を有しているため、ここでは説明を省略する。
【０１０２】
［室内側制御装置の構成］
図８は、本実施の形態２に係る室内側制御装置２４の機能について説明するための機能ブロック図である。図８に示すように、温度効率算出部４９、比較処理部４５、駆動制御部４６、通知処理部４７および記憶部４８で構成されている。
【０１０３】
温度効率算出部４９は、高圧圧力検知器３１によって検知された室外側高圧圧力と、室内側液管温度検知器３５によって検知された室内側液管温度と、吸込空気温度検知器３３によって検知された吸込空気温度と、吹出空気温度検知器３４によって検知された吹出空気温度とが入力される。温度効率算出部４９は、入力された室外側高圧圧力と、室内側液管温度と、吸込空気温度と、吹出空気温度とに基づき、室内側熱交換器２２の温度効率を算出する。温度効率算出部４９は、算出した温度効率を比較処理部４５に対して出力する。
【０１０４】
温度効率は、室内側熱交換器２２を流れる冷媒と、室内側送風機２３により供給される空気との間で行われる熱交換の効率を示す。温度効率は、室内側熱交換器２２の風量と一定の関係性を有している。そのため、温度効率を算出することにより、室内側熱交換器２２の風量を推定することができる。
【０１０５】
比較処理部４５は、記憶部４８に記憶された、定格風量の範囲に対応する温度効率の値である基準温度効率の範囲を読み出し、入力された室内側熱交換器２２の温度効率と、記憶部４８から読み出した基準温度効率の範囲とに基づき、ダクト風量が適切な風量であるか否かを判断する処理を行う。比較処理部４５は、判断処理の結果、ダクト風量が適切な風量でないと判断した場合に、室内側送風機２３の出力を調整するための制御情報を生成し、駆動制御部４６に対して出力する。また、比較処理部４５は、ダクト風量が適切な風量でないと判断した場合で、室内側送風機２３の出力調整ができないと判断したときに、異常を示す情報を生成し、通知処理部４７に対して出力する。
【０１０６】
記憶部４８は、例えば、比較処理部４５において使用する基準温度効率の範囲を示す情報を予め記憶している。記憶部４８は、比較処理部４５からの要求に基づき、記憶された基準温度効率の範囲を示す情報を比較処理部４５に供給する。
【０１０７】
［風量チェック処理］
（冷房運転時）
冷房運転時の風量チェック運転モードによる処理について説明する。図９は、本実施の形態２に係る室内ユニット２による冷房運転時の風量チェック処理の流れの一例を示すフローチャートである。
【０１０８】
まず、リモートコントローラ３等が操作され、風量チェック運転モードが選択されると、風量チェック運転が開始される（ステップＳ４１）。室内側制御装置２４は、室内側送風機２３を最大風速で運転するように制御する（ステップＳ４２）。
【０１０９】
次に、室内側制御装置２４は、予め設定された時間が経過したか否かを判断する（ステップＳ４３）。設定時間が経過したと判断した場合（ステップＳ４３；Ｙｅｓ）には、処理がステップＳ４４に移行する。一方、設定時間が経過していないと判断した場合（ステップＳ４３；Ｎｏ）には、処理がステップＳ４３に戻り、設定時間が経過するまで、ステップＳ４３の処理を繰り返す。
【０１１０】
設定時間が経過したとき、温度効率算出部４９は、室内側熱交換器２２の温度効率を算出する（ステップＳ４４）。具体的には、温度効率算出部４９は、吸込空気温度検知器３３によって検知された吸込空気温度Ｔｉｎと、吹出空気温度検知器３４によって検知された吹出空気温度Ｔｏｕｔと、室内側液管温度検知器３５によって検知された液配管温度Ｔｌとに基づき、冷房運転時における室内側熱交換器２２の温度効率ηｃを算出する。温度効率ηｃは、式（１）に基づき算出することができる。
【０１１１】
［数１］
ηｃ＝（Ｔｉｎ−Ｔｏｕｔ）／（Ｔｉｎ−Ｔｌ）  ・・・（１）
【０１１２】
ここで、上述のようにして算出した温度効率ηｃと風量との間には、以下のような関係がある。例えば、風量が大きくなると、温度効率ηｃが小さくなり、風量が小さくなると、温度効率ηｃが大きくなる。
【０１１３】
そこで、本実施の形態２では、定格風量の範囲に対応する温度効率ηｃの値である基準温度効率ηの範囲を予め記憶部４８に記憶しておく。そして、比較処理部４５は、ステップＳ４４で算出した温度効率ηｃと、基準温度効率ηの範囲とを比較する（ステップＳ４５）。
【０１１４】
ステップＳ４５における比較によって、例えば、温度効率ηｃが定格風量に対応する基準温度効率ηの範囲内である場合には、ダクト風量が適切であると判断することができる。また、温度効率ηｃが定格風量に対応する基準温度効率ηの範囲よりも小さい場合には、ダクト風量が過大であると判断することができる。さらに、温度効率ηｃが定格風量に対応する基準温度効率ηの範囲よりも大きい場合には、ダクト風量が過小であると判断することができる。
【０１１５】
比較処理部４５は、ステップＳ４４で算出した温度効率ηｃと基準温度効率ηとの大小関係に基づき、ダクト風量が過大であるか否かを判断する（ステップＳ４６）。算出した温度効率ηｃが基準温度効率ηの範囲内である場合（ステップＳ４６；Ｎｏ）には、ダクト風量が過大ではないと判断し、処理がステップＳ４７に移行する。
【０１１６】
次に、比較処理部４５は、温度効率ηｃと基準温度効率ηとの大小関係に基づき、ダクト風量が過小であるか否かを判断する（ステップＳ４７）。算出した温度効率ηｃが基準温度効率ηの範囲内である場合（ステップＳ４７；Ｎｏ）には、ダクト風量が適切であると判断し、処理がステップＳ４８に移行する。そして、室内側制御装置２４は、風量チェック運転を停止し（ステップＳ４８）、一連の処理が終了する。
【０１１７】
一方、ステップＳ４６において、温度効率ηｃが基準温度効率ηの範囲よりも小さい場合（ステップＳ４６；Ｙｅｓ）には、ダクト風量が過大であると判断し、処理がステップＳ４９に移行する。比較処理部４５は、風速を下げることができるか否かを判断する（ステップＳ４９）。
【０１１８】
風速を下げることができると判断した場合（ステップＳ４９；Ｙｅｓ）には、処理がステップＳ５０に移行する。室内側制御装置２４は、室内側送風機２３の風速ノッチを１段階下げるように、室内側送風機２３を制御し、送風機出力を調整する（ステップＳ５０）。そして、処理がステップＳ４３に戻る。一方、室内側送風機２３の風速ノッチが最小段階にあり、風速を下げることができないと判断した場合（ステップＳ４９；Ｎｏ）には、処理がステップＳ５３に移行する。
【０１１９】
また、ステップＳ４７において、温度効率ηｃが基準温度効率ηの範囲よりも大きい場合（ステップＳ４７；Ｙｅｓ）には、ダクト風量が過小であると判断し、処理がステップＳ５１に移行する。比較処理部４５は、風速を上げることができるか否かを判断する（ステップＳ５１）。
【０１２０】
風速を上げることができると判断した場合（ステップＳ５１；Ｙｅｓ）には、処理がステップＳ５２に移行する。比較処理部４５は、室内側送風機２３の風速ノッチを１段階上げるように、駆動制御部４６を介して室内側送風機２３を制御し、送風機出力を調整する（ステップＳ５２）。そして、処理がステップＳ４３に戻る。一方、室内側送風機２３の風速ノッチが最大段階にあり、風速を上げることができないと判断した場合（ステップＳ５１；Ｎｏ）には、処理がステップＳ５３に移行する。
【０１２１】
ステップＳ５３において、比較処理部４５は、通知処理部４７を介して、例えばリモートコントローラ３に対して、異常を示す情報を送信する。リモートコントローラ３は、室内側制御装置２４から受け取った情報に基づき、ダクト６ａおよび６ｂの静圧が室内ユニット２による設定範囲外であることを表示し、利用者または施工者に対して通知する。そして、一連の処理が終了する。
【０１２２】
（暖房運転時）
次に、暖房運転時の風量チェック運転モードによる処理について説明する。図１０は、本実施の形態２に係る室内ユニット２による暖房運転時の風量チェック処理の流れの一例を示すフローチャートである。
【０１２３】
まず、リモートコントローラ３等が操作され、風量チェック運転モードが選択されると、風量チェック運転が開始される（ステップＳ６１）。室内側制御装置２４は、室内側送風機２３を最大風速で運転するように制御する（ステップＳ６２）。
【０１２４】
次に、室内側制御装置２４は、予め設定された時間が経過したか否かを判断する（ステップＳ６３）。設定時間が経過したと判断した場合（ステップＳ６３；Ｙｅｓ）には、処理がステップＳ６４に移行する。一方、設定時間が経過していないと判断した場合（ステップＳ６３；Ｎｏ）には、処理がステップＳ６３に戻り、設定時間が経過するまで、ステップＳ６３の処理を繰り返す。
【０１２５】
設定時間が経過したとき、温度効率算出部４９は、室内側熱交換器２２の温度効率を算出する（ステップＳ６４）。具体的には、温度効率算出部４９は、吸込空気温度検知器３３によって検知された吸込空気温度Ｔｉｎと、吹出空気温度検知器３４によって検知された吹出空気温度Ｔｏｕｔと、凝縮温度Ｔｃとに基づき、暖房運転時における室内側熱交換器２２の温度効率ηｈを算出する。温度効率ηｈは、式（２）に基づき算出することができる。
【０１２６】
［数２］
ηｈ＝（Ｔｏｕｔ−Ｔｉｎ）／（Ｔｃ−Ｔｉｎ）  ・・・（２）
【０１２７】
なお、凝縮温度Ｔｃは、例えば高圧圧力検知器３１によって検知された圧力に基づき算出することができる。また、例えば、室内ユニット２側に圧力検知器を設け、圧力検知器によって検知された圧力に基づいても算出することができる。
【０１２８】
比較処理部４５は、ステップＳ６４で算出した温度効率ηｃと、記憶部４８に予め記憶された基準温度効率ηとを比較する（ステップＳ６５）。ステップＳ６５における比較によって、例えば、温度効率ηｈが定格風量に対応する基準温度効率ηの範囲内である場合には、ダクト風量が適切であると判断することができる。また、温度効率ηｈが定格風量に対応する基準温度効率ηの範囲よりも小さい場合には、ダクト風量が過大であり、基準温度効率ηの範囲よりも大きい場合には、ダクト風量が過小であると判断することができる。
【０１２９】
比較処理部４５は、基準温度効率ηと算出した温度効率ηｈとの大小関係に基づき、ダクト風量が過大であるか否かを判断する（ステップＳ６６）。温度効率ηｈが基準温度効率ηの範囲内である場合（ステップＳ６６；Ｎｏ）には、ダクト風量が過大ではないと判断し、処理がステップＳ６７に移行する。
【０１３０】
次に、比較処理部４５は、基準温度効率ηと温度効率ηｈとの大小関係に基づき、ダクト風量が過小であるか否かを判断する（ステップＳ６７）。温度効率ηｃが基準温度効率ηの範囲内である場合（ステップＳ６７；Ｎｏ）には、ダクト風量が適切であると判断し、処理がステップＳ６８に移行する。そして、室内側制御装置２４は、風量チェック運転を停止し（ステップＳ６８）、一連の処理が終了する。
【０１３１】
一方、ステップＳ６６において、温度効率ηｃが基準温度効率ηの範囲よりも小さい場合（ステップＳ６６；Ｙｅｓ）には、ダクト風量が過大であると判断し、処理がステップＳ６９に移行する。比較処理部４５は、風速を下げることができるか否かを判断する（ステップＳ６９）。
【０１３２】
風速を下げることができると判断した場合（ステップＳ６９；Ｙｅｓ）には、処理がステップＳ７０に移行する。室内側制御装置２４は、室内側送風機２３の風速ノッチを１段階下げるように、駆動制御部４６を介して室内側送風機２３を制御し、送風機出力を調整する（ステップＳ７０）。そして、処理がステップＳ６３に戻る。一方、室内側送風機２３の風速ノッチが最小段階にあり、風速を下げることができないと判断した場合（ステップＳ６９；Ｎｏ）には、処理がステップＳ７３に移行する。
【０１３３】
また、ステップＳ６７において、温度効率ηｃが基準温度効率ηの範囲よりも大きい場合（ステップＳ６７；Ｙｅｓ）には、風量が過小であると判断し、処理がステップＳ７１に移行する。比較処理部４５は、風速を上げることができるか否かを判断する（ステップＳ７１）。
【０１３４】
風速を上げることができると判断した場合（ステップＳ７１；Ｙｅｓ）には、処理がステップＳ７２に移行する。比較処理部４５は、室内側送風機２３の風速ノッチを１段階上げるように、駆動制御部４６を介して室内側送風機２３を制御し、送風機出力を調整する（ステップＳ７２）。そして、処理がステップＳ６３に戻る。一方、室内側送風機２３の風速ノッチが最大段階にあり、風速を上げることができないと判断した場合（ステップＳ７１；Ｎｏ）には、処理がステップＳ７３に移行する。
【０１３５】
ステップＳ７３において、比較処理部４５は、通知処理部４７を介して、例えばリモートコントローラ３に対して、異常を示す情報を送信する。リモートコントローラ３は、室内側制御装置２４から受け取った情報に基づき、ダクト６ａおよび６ｂの静圧が室内ユニット２による設定範囲外であることを表示し、利用者または施工者に対して通知する。そして、一連の処理が終了する。
【０１３６】
以上のように、本実施の形態２に係る空気調和装置１００は、室内側熱交換器２２を通過する空気の風量に対応する室内側熱交換器２２の温度効率を算出する。これにより、実施の形態１と同様に、ダクトの静圧が想定する範囲から外れた場合であっても、ダクトの静圧が検出され、適切なダクト風量を確保することができる。
【０１３７】
また、本実施の形態２では、室内側熱交換器２２の吸込空気温度および吹出空気温度と、圧縮機１１から吐出される冷媒の高圧圧力または室内側液管温度とに基づき、室内側熱交換器２２の温度効率を算出する。これにより、実施の形態１と比較して使用するパラメータが少なくて済むため、ダクト風量の判断を簡易的に算出することができる。
【０１３８】
さらに、本実施の形態２では、実施の形態１と同様に、算出した室内側熱交換器２２を通過する空気の風量に基づいてダクトの静圧を算出し、算出したダクトの静圧をリモートコントローラ３等に表示させるため、ダクトの調整を容易に行うことができる。さらにまた、本実施の形態２では、実施の形態１と同様に、算出した室内側熱交換器２２を通過する空気の風量に基づき、ダクト風量が過大または過小であると判断された場合に、室内側送風機２３の出力を調整するため、適切なダクト風量を確保することができる。さらに、室内側送風機２３の出力を調整できない場合には、利用者に対して異常が通知されるため、異常発生時に迅速な対応を行うことができる。
【０１３９】
以上、本発明の実施の形態１および実施の形態２について説明したが、本発明は、上述した実施の形態１および実施の形態２に限定されるものではなく、本発明の要旨を逸脱しない範囲内で様々な変形や応用ができる。
【０１４０】
例えば、実施の形態１および２では、室内側送風機２３を最大風速で運転させてから風量チェック処理を行うように説明したが、これに限られず、室内側送風機２３を最小風速で運転させてから風量チェック処理を行ってもよい。
【０１４１】
また、実施の形態１および２で説明した風量チェック処理を行うことにより、例えば、室内側熱交換器２２の空気吸い込み側に設けられた図示しないフィルタの目詰まり、または室内側熱交換器２２に汚れが付着することによる詰まり等による異常を検出することもできる。このようにフィルタまたは熱交換器に詰まりが発生すると、ダクト静圧の増大と同様に、汚れ等による風路抵抗が増加する。そのため、このような異常を上述した風量チェック処理によって検出することができる。なお、このような異常検出のための風量チェック処理は、例えば定期メンテナンスの際に実施すると好ましい。
【符号の説明】
【０１４２】
１  室外ユニット、２  室内ユニット、２ａ  吸込口、２ｂ  吹出口、３  リモートコントローラ、４  室内空間、５  空間、６ａ、６ｂ  ダクト、７  天井、１１  圧縮機、１２  冷媒流路切替装置、１３  室外側熱交換器、１４  室外側送風機、１５  室外側制御装置、１６  液配管、２１  絞り装置、２２  室内側熱交換器、２３  室内側送風機、２４  室内側制御装置、２５  液配管、２６  ガス配管、３１  高圧圧力検知器、３２  室外側液管温度検知器、３３  吸込空気温度検知器、３４  吹出空気温度検知器、３５  室内側液管温度検知器、３６  室内側ガス管温度検知器、４１  冷媒流量算出部、４２  エンタルピ算出部、４３  冷媒側能力算出部、４４  風量算出部、４５  比較処理部、４６  駆動制御部、４７  通知処理部、４８  記憶部、４９  温度効率算出部、１００  空気調和装置。
【図１】
0006661775.tif 000002
【図２】
0006661775.tif 000003
【図３】
0006661775.tif 000004
【図４】
0006661775.tif 000005
【図５】
0006661775.tif 000006
【図６】
0006661775.tif 000007
【図７】
0006661775.tif 000008
【図８】
0006661775.tif 000009
【図９】
0006661775.tif 000010
【図１０】
0006661775.tif 000011